【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
コヒーレントビームもしくは準単色のビームを発するレーザ光源と、
少なくとも１つのマークと少なくとも１つのスペースとを配置したトラックを有する情報記憶媒体に該光源から出射されたビームを集光する集光光学系と、
該情報記憶媒体で反射した反射光を受光し、受光された反射光の光量に応じた信号を出力する複数の検出領域を有する光検出器と、
該光検出器から出力される信号を受け取り、該受け取った信号に基づいて、トラッキング誤差信号を生成するトラッキング誤差信号生成手段とを備え、
該トラッキング誤差信号生成手段が、該トラッキング誤差信号から重複領域によって得られる信号の成分を低減し、
該重複領域は、該集光光学系の開口を半径１の円としたとき、該集光光学系の開口の中心から該トラックと直交する方向にλ／（ＮＡ・Ｇｐ）だけ離れた二つの点をそれぞれ中心とする半径１の二つの円の重なる領域であり、
該λは、該光源から出射される光の波長であり、
該ＮＡは、該集光光学系の開口数であり、
該Ｇｐは、該情報記憶媒体におけるトラックの中心から隣のトラックの中心までの距離であり、
該集光光学系の開口を半径１の円としたとき、λ／（ＮＡ・Ｇｐ）は、λ／（ＮＡ・Ｇｐ）＜１の関係を有する光ヘッド装置。
【請求項２】
コヒーレントビームもしくは準単色のビームを発するレーザ光源と、
少なくとも１つのマークと少なくとも１つのスペースとを配置したトラックを有する情報記憶媒体に該光源から出射されたビームを集光する集光光学系と、
該情報記憶媒体で反射した反射光を受光し、受光された反射光の光量に応じた信号を出力する複数の検出領域を有する光検出器と、
該光検出器から出力される信号を受け取り、受け取った信号に基づき、トラッキング誤差信号を生成するトラッキング誤差信号生成手段と、
該反射光の重複領域およびその近傍領域を分割して該光検出器で受光することが可能である分割手段とを備え、
該重複領域は、該集光光学系の開口を半径１の円としたとき、該集光光学系の開口の中心から該トラックと直交する方向にλ／（ＮＡ・Ｇｐ）だけ離れた二つの点をそれぞれ中心とする半径１の二つの円の重なる領域であり、
該λは、該光源から出射される光の波長であり、
該ＮＡは、該集光光学系の開口数であり、
該Ｇｐは、該情報記憶媒体におけるトラックの中心から隣のトラックの中心までの距離であり、
λ／（ＮＡ・Ｇｐ）は、λ／（ＮＡ・Ｇｐ）＜１の関係を有する光ヘッド装置。
【請求項３】
前記トラッキング誤差信号生成手段は、前記反射光のうち前記重複領域を含まない領域の光を受光する検出領域から得られる信号を用いてトラッキング誤差信号を生成する請求項２に記載の光ヘッド装置。
【請求項４】
前記分割手段はトラックと略平行な少なくとも２本の分割線を有し、
該少なくとも２本の分割線は、前記反射光の前記重複領域をその間に挟むように配置され、
前記トラッキング誤差信号生成手段は、該少なくとも２本の分割線の外側の領域に入射する反射光を受光する検出領域から得られる信号の演算によりトラッキング誤差信号を生成する請求項３に記載の光ヘッド装置。
【請求項５】
前記トラッキング誤差信号生成手段は、前記反射光のうち前記重複領域および前記その近傍領域の光を受光する検出領域から得られる信号を用いてトラッキング誤差信号を補正する請求項２に記載の光ヘッド装置。
【請求項６】
前記分割手段は、前記トラックの接線と略平行なＮ本の分割線を有し、該Ｎは３以上の奇数であり、
該Ｎ本の分割線うち２本の分割線は、前記反射光の前記重複領域をその間に挟むように配置され、
該２本の分割線を除く（Ｎ−２）本の分割線は、該２本の分割線の間に配置され、
前記トラッキング誤差信号生成手段は、
該２本の分割線の外側に位置し、且つ該重複領域を含まない第１領域と第２領域とに入射する該反射光を受光する検出領域から得られる信号を用いてトラッキング誤差信号を生成し、
該２本の分割線に挟まれた偶数個の領域に入射する該反射光を受光する検出領域から得られる信号の極性を交互に反転して、該検出領域から得られる信号を加算する補正信号を生成し、
該トラッキング誤差信号から該補正信号を加減演算する請求項５に記載の光ヘッド装置。
【請求項７】
前記分割手段は、前記トラックの接線と略平行なＮ本の分割線を有し、該Ｎは３以上の奇数であり、
該Ｎ本の分割線のうち２本の分割線は前記反射光の前記重複領域をその間に挟むように配置され、
該２本の分割線を除く（Ｎ−２）本の分割線は、該２本の分割線の間に配置され、
前記トラッキング誤差信号生成手段は、該２本の分割線に挟まれた偶数個の領域に入射する該反射光を受光する検出領域から得られる信号に所定の値を掛け、所定の値を掛けられた信号の極性を交互に反転し、極性が交互に反転された信号を加算した補正信号を生成し、
該トラッキング誤差信号から該補正信号を加減演算する請求項５に記載の光ヘッド装置。
【請求項８】
前記分割手段が、ホログラム素子である請求項２〜７のいずれか１つに記載の光ヘッド装置。
【請求項９】
前記分割手段が、前記集光光学系と一体化している請求項２〜８のいずれか１つに記載の光ヘッド装置。
【請求項１０】
前記分割手段が、前記光検出器の分割線である請求項２〜７のいずれか１つに記載の光ヘッド装置。
【請求項１１】
コヒーレントビームもしくは準単色のビームを発するレーザ光源と、
少なくとも１つのマークと少なくとも１つのスペースとを配置したトラックを有する情報記憶媒体に該光源から出射された光を集光する集光光学系と、
該情報記憶媒体で反射した反射光を受光し、該受光された反射光の光量に応じた信号を出力する複数の検出領域を有する光検出器と、
該光検出器から出力される信号を受け取り、受け取った信号に基づきトラッキング誤差信号を生成するトラッキング誤差信号生成手段とを備え、
光路中に設けられ、重複領域およびその近傍領域の光の透過率を低下させる減光手段を更に備え、
該重複領域は、該集光光学系の開口を半径１の円としたとき、該集光光学系の開口の中心から該トラックと直交する方向にλ／（ＮＡ・Ｇｐ）だけ離れた二つの点をそれぞれ中心とする半径１の二つの円の重なる領域であり、
該λは、該光源から出射される光の波長であり、
該ＮＡは、該集光光学系の開口数であり、
該Ｇｐは、該情報記憶媒体におけるトラック中心から隣のトラック中心までの距離であり、
λ／（ＮＡ・Ｇｐ）は、λ／（ＮＡ・Ｇｐ）＜１の関係を有する光ヘッド装置。
【請求項１２】
前記減光手段が、前記集光光学系と一体化している請求項１１に記載の光ヘッド装置。
【請求項１３】
前記減光手段がホログラム素子である請求項１１または１２に記載の光ヘッド装置。
【請求項１４】
コヒーレントビームもしくは準単色のビームを発するレーザ光源と、
該光源から出射されたビームを受け取り、受け取ったビームを第１のビームと第２のビームに分割する光学素子と、
該第１のビームと該第２のビームを受け取り、該第１のビームと該第２のビームを情報記憶媒体上へ微小スポットに収束する集光光学系と、
該情報記憶媒体で反射、回折したビームを受け取り、受け取ったビームを分岐するビーム分岐素子と、
該ビーム分岐素子で分岐されたビームを受け取り、受け取ったビームの光量に応じた信号を出力する光検出器と、
該光検出器から出力される信号を受け取り、受け取った信号を演算する信号処理部と、
該信号処理部から出力される信号に基づいて該集光光学系と該情報記憶媒体との相対的な位置決めを行う駆動部とを備え、
該第１のビームは該第２のビームと、該集光光学系で集光される際の実効的な開口数が異なり、
該集光光学系で集光される際の実効的な開口数が小さいビームを用いてトラッキング誤差信号を生成するトラッキング誤差信号生成手段をさらに備えた光ヘッド装置。
【請求項１５】
前記情報記憶媒体は、トラッキング誤差信号を検出可能にするマークもしくは所定の溝を有し、該情報記憶媒体上のトラッキング誤差信号を検出可能にするマークもしくは所定の溝の周期をＧｐとし、光源から出射されるビームが有する波長をλとし、前記集光光学系の該情報記憶媒体側の開口数をＮＡとしたとき、光学素子で生成される第１のビームはＧｐ＞λ／ＮＡの関係を有し、該光学素子で生成される第２のビームはＧｐ＜λ／ＮＡの関係を有し、
前記トラッキング誤差信号生成手段は、該第２のビームからトラッキング誤差信号を生成する請求項１４に記載の光ヘッド装置。
【請求項１６】
前記第１のビームと前記第２のビームが互いに同軸上に形成される請求項１４または１５に記載の光ヘッド装置。
【請求項１７】
前記光学素子が偏光フィルタである請求項１４〜１６のいずれか１つに記載の光ヘッド装置。
【請求項１８】
前記光学素子が前記集光光学系と一体化されている請求項１４〜１７のいずれか１つに記載の光ヘッド装置。
【請求項１９】
コヒーレントビームもしくは準単色のビームを発するレーザ光源と、
該光源から出射されたビームを受け取り、受け取ったビームを情報記憶媒体上へ微小スポットに収束する集光光学系と、
該情報記憶媒体で反射、回折したビームを受け取り、受け取ったビームを分岐するビーム分岐素子と、
該ビーム分岐素子で分岐されたビームを受け取り、受け取ったビームの光量に応じた信号を出力する光検出器と、
該光検出器から出力される信号を受け取り、受け取った信号を演算する信号処理部と、
該集光光学系と該情報記憶媒体との相対的な位置決めを行うためフォーカスおよびトラッキングの制御を行う駆動部とを備えた傾き検出装置であって、
該光検出器は複数の受光部を有し、
該情報記憶媒体はマークおよびスペースからなる第１のパターン領域と所定の溝からなる第２のパターン領域とを有し、
該第１のパターン領域と該第２のパターン領域は情報記憶媒体上に交互に配置され、
該信号処理部は、該集光光学系で集光されたビームが該第１のパターン領域もしくは該第２のパターン領域に照射されるとき、該光検出器から得られる信号を用いて、該集光光学系で集光されるビームと該情報記憶媒体とがなす角度を検出する傾き検出装置。
【請求項２０】
前記集光光学系で集光されるビームが、前記第１のパターン領域におけるマークおよびスペースを照射するとき、前記光検出器から得られる信号を用いてトラッキング制御を行い、
該集光光学系で集光されるビームが、前記第２のパターン領域を照射するとき、該光検出器から得られる信号を用いて該集光光学系で集光されるビームと前記情報記憶媒体とがなす角度を検出する請求項１９に記載の傾き検出装置。
【請求項２１】
前記集光光学系で集光されるビームが、前記第２のパターン領域を照射するとき、前記光検出器から得られる信号を用いてトラッキング制御を行い、該集光光学系で集光されるビームが、該第１のパターン領域を照射するとき、該光検出器から得られる信号を用いて該集光光学系で集光されるビームと前記情報記憶媒体とがなす角度を検出する請求項１９に記載の傾き検出装置。
【請求項２２】
前記集光光学系で集光されるビームが前記第１のパターン領域におけるマークおよびスペースを照射するときに前記光検出器から得られる信号を用いて該集光光学系で集光されるビームと前記情報記憶媒体とがなす角度を検出する請求項１９に記載の傾き検出装置。
【請求項２３】
前記第１のパターン領域もしくは前記第２のパターン領域の周期をＧｐとし、
前記光源から出射されるビームの波長をλとし、
前記集光光学系の前記情報記憶媒体側の開口数をＮＡとしたとき、
ＮＡ＞λ／Ｇｐの関係にある請求項１９〜２２のいずれか１つに記載の傾き検出装置。
【請求項２４】
コヒーレントビームもしくは準単色のビームを発するレーザ光源と、
該光源から出射されたビームを受け取り、受け取ったビームを情報記憶媒体上へ微小スポットに収束する集光光学系と、
該情報記憶媒体で反射、回折したビームを受け取り、受け取ったビームを分岐するビーム分岐素子と、
該ビーム分岐素子で分岐されたビームを受け取り、受け取ったビームの光量に応じた信号を出力する光検出器と、
該光検出器から出力される信号を受け取り、受け取った信号を演算する信号処理部と、
該集光光学系と該情報記憶媒体との相対的な位置決めを行うためフォーカスおよびトラッキングの制御を行う第１の駆動部と、
該集光光学系で集光されるビームと該情報記憶媒体とがなす角度を変えることが可能な第２の駆動部とを備え、
該光検出器は、複数の受光部を有し、
該情報記憶媒体は、トラッキング誤差信号を生成可能なパターンもしくは所定の溝を有し、
該トラッキング誤差信号を生成可能にするパターンもしくは所定の溝の周期をＧｐとし、該光源から出射されるビームの波長をλとし、該集光光学系の該情報記憶媒体側の開口数をＮＡとしたとき、ＮＡ＞λ／Ｇｐの関係にある光情報処理装置。
【請求項２５】
コヒーレントビームもしくは準単色のビームを発するレーザ光源と、
該光源から出射されたビームを受け取り、受け取ったビームを情報記憶媒体上へ微小スポットに収束する集光光学系と、
該情報記憶媒体で反射、回折したビームを受け取り、受け取ったビームを分岐するビーム分岐素子と、
該ビーム分岐素子で分岐されたビームを受け取り、受け取ったビームの光量に応じた信号を出力する光検出器と、
該光検出器から出力される信号を受け取り、受け取った信号を演算する信号処理部と、
該集光光学系と該情報記憶媒体との相対的な位置決めを行うためにフォーカスおよびトラッキングの制御を行う第１の駆動部と、
該集光光学系で集光されるビームの収差を補正する収差補正手段とを備え、
該光検出器は複数の受光部を有し、
該情報記憶媒体はマークおよびスペースからなる第１のパターン領域と所定の溝からなる第２のパターン領域とを有し、
該第１のパターン領域と該第２のパターン領域は情報記憶媒体上に交互に配置され、
該信号処理部は、該集光光学系で集光されたビームが該第１のパターン領域もしくは該第２のパターン領域に照射されるとき、該光検出器から得られる信号を用いて、該集光光学系で集光されるビームと該情報記憶媒体とがなす角度を検出し、該収差補正手段により該情報記憶媒体上の微小スポットの収差を補正する光情報処理装置。
【請求項２６】
前記集光光学系で集光されるビームが、前記第１のパターン領域におけるマークを照射するとき、前記光検出器から得られる信号を用いてトラッキング制御を行い、
該集光光学系で集光されるビームが、前記第２のパターン領域を照射するとき、該光検出器から得られる信号を用いて、該集光光学系で集光されるビームと前記情報記憶媒体とがなす角度を検出する請求項２５に記載の光情報処理装置。
【請求項２７】
前記集光光学系で集光されるビームが、前記第２のパターン領域を照射するとき、前記光検出器から得られる信号を用いてトラッキング制御を行い、
該集光光学系で集光されるビームが、前記第１のパターン領域を照射するとき、該光検出器から得られる信号を用いて、該集光光学系で集光されるビームと情報記憶媒体とがなす角度を検出する請求項２５に記載の光情報処理装置。
【請求項２８】
前記集光光学系で集光されるビームが、前記第１のパターン領域におけるマークおよびスペースを照射するとき、前記光検出器から得られる信号を用いて、該集光光学系で集光されるビームと前記情報記憶媒体とがなす角度を検出する請求項２５に記載の光情報処理装置。
【請求項２９】
前記第１のパターン領域もしくは前記第２のパターン領域の周期をＧｐとし、前記光源から出射されるビームの波長をλとし、前記集光光学系の前記情報記憶媒体側の開口数をＮＡとしたとき、ＮＡ＞λ／Ｇｐの関係にある請求項２５〜２８のいずれか１つに記載の光情報処理装置。
【請求項３０】
コヒーレントビームもしくは準単色のビームを発する光源と、
選択的にマークまたはスペースを配置したトラックを有する情報記憶媒体に該光源から出射されたビームを集光する集光光学系と、
該情報記憶媒体で反射した反射光を受け取り、受け取った反射光の光量に応じた信号を出力する複数の検出領域からなる光検出器と、
該情報記憶媒体で反射した光を分割し、該光検出器で受光可能にする分割手段と、
該分割手段上の分割線により分割された所定の第１の領域と第２の領域の二つの領域のそれぞれに入射する該反射光に応じて得られる信号の差動信号から該トラックに記録された情報を再生する再生信号を生成する情報再生信号生成手段とを備えた光ヘッド装置であって、
該集光光学系から出射される光の集光点と該トラックとの位置関係に応じて該第１の領域または該第２の領域もしくは両方の領域に含まれる範囲を変える変更手段をさらに備えた光ヘッド装置。
【請求項３１】
前記分割手段上での該反射光の断面を半径１の略円としたとき、該分割手段は、前記トラックの接線と略平行で該略円の中心から所定の距離ｄだけ離れた第１の分割線と、該トラックの接線と略平行で該第１の分割線とは逆側に該中心から距離ｄだけ離れた第２の分割線とにより３つの領域に分けられ、
該略円の中心を含まない該第１の分割線の外側を領域Ａ、該第１の分割線と該第２の分割線に挟まれた領域を領域Ｂ、該略円の中心を含まない該第２の分割線の外側の領域を領域Ｃとし、
前記情報再生信号生成手段は、前記集光光学系から出射される光の集光点が、該トラックの片側に所定の距離だけ離れた第１の位置を走査するとき、該領域Ａを第１の領域とし該領域Ｂと該領域Ｃを第２の領域として該トラックに記録された情報の該再生信号を生成し、
前記情報再生信号生成手段は、該集光光学系から出射される光の集光点が、該トラックの該第１の位置とは反対側に所定の距離だけ離れた第２の位置を走査するときは該領域Ａと該領域Ｂを該第１の領域とし、該領域Ｃを該第２の領域として該トラックに記録された情報の再生信号を生成する請求項３０に記載の光ヘッド装置。
【請求項３２】
前記分割手段上での反射光の断面を半径１の略円としたとき、該分割手段は、前記トラックの接線と略平行で該略円の中心から所定の距離ｄだけ離れた第１の分割線と、該トラックの接線と略平行で該第１の分割線とは逆側に該中心から距離ｄだけ離れた第２の分割線と、該トラックの接線と略平行で該略円の中心を通る第３の分割線とにより４つの領域に分けられ、
該略円の中心を含まない該第１の分割線の外側を領域Ａ、該第１の分割線と該第３の分割線に挟まれた領域を領域Ｂ、該第２の分割線と該第３の分割線に挟まれた領域を領域Ｃ、該略円の中心を含まない該第２の分割線の外側の領域を領域Ｄとし、
前記集光光学系から出射される光の集光点が、該トラックの片側に所定の距離だけ離れた第１の位置を走査するとき、該領域Ａを該第１の領域とし該領域Ｃと該領域Ｄを該第２の領域として、前記情報再生信号生成手段は、該トラックに記録された情報の再生信号を生成し、
該集光光学系から出射される光の集光点が、該トラックの該第１の位置とは反対側に所定の距離だけ離れた第２の位置を走査するとき、該領域Ａと該領域Ｂを該第１の領域とし該領域Ｄを該第２の領域として、該情報再生信号生成手段は、該トラックに記録された情報の再生信号を生成する請求項に３０に記載の光ヘッド装置。
【請求項３３】
コヒーレントビームもしくは準単色のビームを発する光源と、
選択的にマークまたはスペースを配置したトラックを有する情報記憶媒体に該光源から出射されたビームを集光する集光光学系と、
該情報記憶媒体で反射した反射光を受光し、受光した反射光の光量に応じた信号を出力する複数の検出領域からなる光検出器と、
該情報記憶媒体で反射した該反射光を分割し、該光検出器で受光可能にする分割手段と、
該分割手段により分割された所定の第１の領域と第２の領域との２つの領域のそれぞれに入射する該反射光に応じて得られる信号の差動信号から該トラックに記録された情報を再生する再生信号を生成する情報再生信号生成手段とを備えた光ヘッド装置であって、
該分割手段上での該反射光の断面を半径１の略円としたとき、該分割手段は該トラックの接線と略平行で該略円の中心から所定の距離ｄだけ離れた２本の分割線により３つの領域に分けられ、該３つの領域のうち該略円の中心を含まない領域を該第１の領域とし、該略円の中心を含まないもう一つの領域を該第２の領域とし、
該集光光学系から出射される光の集光点が、該トラックから所定の距離だけ離れた位置を走査するとき、該情報再生信号生成手段は、該トラックに記録された情報の再生信号を生成する光ヘッド装置。
【請求項３４】
コヒーレントビームもしくは準単色のビームを発する光源と、
選択的にマークまたはスペースを配置したトラックを有する情報記憶媒体に該光源から出射された光を集光する集光光学系と、
該情報記憶媒体で反射した反射光を受光し、受光した反射の光量に応じた信号を出力する複数の検出領域からなる光検出器と、
該情報記憶媒体で反射した該反射光を分割し、該光検出器で受光可能にする分割手段と、
該分割手段により分割された、所定の第１の領域と第２の領域との２つの領域のそれぞれに入射する該反射光に応じて得られる信号の差動信号から該トラックに記録された情報を再生する再生信号を生成する情報再生信号生成手段とを備えた光ヘッド装置において、
該分割手段上での該反射光の断面を半径１の略円としたとき、該分割手段は、該トラックの接線と略平行で該略円の中心から所定の距離ｄだけ離れた２本の分割線第１の分割線と第２の分割線と該略円の中心を通る第３の分割線とにより４つの領域に分けられ、
該４つの領域のうち、該略円の中心を含まない該第１の分割線の外側の領域と該第３の分割線と該第２の分割線に挟まれた領域の２つの領域を該第１の領域とし、
該第１の分割線と該第３の分割線に挟まれた領域と該略円の中心を含まない該第２の分割線の外側の領域の２つの領域を該第２の領域とし、
該集光光学系から出射される光の集光点が、該トラックから所定の距離だけ離れた位置を走査するとき、該情報再生信号生成手段が、該トラックに記録された情報の再生信号を生成する光ヘッド装置。
【請求項３５】
前記分割手段上での反射光の断面を半径１の略円としたとき、該分割手段上の該略円の中心から分割線までの距離ｄが、０．１以上０．３以下である請求項３０〜３４のいずれか１つに記載の光ヘッド装置。
【請求項３６】
コヒーレントビームもしくは準単色のビームを発する光源と、
選択的にマークまたはスペースを配置したトラックもしくは所定の溝からなるトラックを有する情報記憶媒体に該光源から出射されたビームを集光する集光光学系と、
該情報記憶媒体で反射した反射光を受光し、受光した反射光の光量に応じた信号を出力する複数の検出領域を有する光検出器と、
該光検出器から出力される信号を受け取り、受け取った信号に基づいてトラッキング誤差信号を生成するトラッキング誤差信号生成手段と、
該情報記憶媒体で反射した反射光を分割し、分割された反射光を該光検出器で受光可能にする分割手段とを備え、
該光源から出射される光の波長をλとし、
該集光光学系の開口数をＮＡとし、
該情報記憶媒体におけるトラックの中心から隣のトラックの中心までの距離をＧｐとし、
λ／（ＮＡ・Ｇｐ）≧１の関係を有し、
該分割手段上での該反射光の断面を半径１の円としたとき、該分割手段は該トラックの接線と略平行な少なくとも５本の分割線を持ち、
該分割手段上での該反射光の断面の中心を通り該トラックと平行な第１の分割線と、該第１の分割線を挟んで距離約０．１に位置する２つの分割線を第２の分割線および第３の分割線とし、
該分割手段上での該反射光の断面の端から距離約０．１に位置する２つの分割線を第４の分割線および第５の分割線とし、
該第１の分割線から該第５の分割線により分割される６つの領域に入射する該反射光に応じて得られる信号を交互に極性を反転し、交互に極性を反転された信号を加算することによりトラッキング誤差信号を生成するトラッキング誤差信号生成手段をさらに備えた光ヘッド装置。
【請求項３７】
コヒーレントビームもしくは準単色のビームを発する光源と、
選択的にマークまたはスペースを配置したトラックもしくは所定の溝からなるトラックを有する情報記憶媒体に該光源から出射された光を集光する集光光学系と、
該情報記憶媒体で反射した反射光を受光し、受光した反射光の光量に応じた信号を出力する複数の検出領域からなる光検出器と、
該光検出器から出力される信号を受けトラッキング誤差信号を生成するトラッキング誤差信号生成手段と、
該情報記憶媒体で反射した光を分割し、分割された光を該光検出器で受光可能にする分割手段とを備え、
該光源から出射される光の波長をλとし、
該集光光学系の開口数をＮＡとし、
該情報記憶媒体におけるトラックの中心から隣のトラックの中心までの距離をＧｐとし、
λ／（ＮＡ・Ｇｐ）≧１の関係を有し、
該集光光学系の開口を半径１の円としたとき、３以上の奇数をＮとし、
該分割手段は、該トラックの接線と略平行なＮ本の分割線を持ち、
該Ｎ本の分割線うち２本の分割線は、該集光光学系の開口の中心に対して約幅０．６の範囲に配置され、
該２本の分割線を除くその他の（Ｎ−２）本の分割線は、該２本の分割線の間に等間隔に配置され、
該トラッキング誤差信号生成手段は、該円の中心を含まない該２本の分割線の外側の２つの領域に入射する該反射光を受光する検出領域から得られる信号を用いてトラッキング誤差信号を生成し、
該トラッキング誤差信号生成手段は、該２本の分割線に挟まれた偶数個の領域に入射する該反射光を受光する検出領域から得られる信号の極性を交互に反転し、極性を交互に反転された信号を加算した補正信号を生成し、
該トラッキング誤差信号生成手段は、該トラッキング誤差信号から該補正信号を加算もしくは減算する光ヘッド装置。
【請求項３８】
前記分割手段が、回折手段である請求項３６〜３７のいずれか１つに記載の光ヘッド装置。
【請求項３９】
前記分割手段が、前記光検出器の分割線である請求項３６〜３７のいずれか１つに記載の光ヘッド装置。
【請求項４０】
コヒーレントビームもしくは準単色のビームを発する光源と、
選択的にマークまたはスペースを配置したトラックもしくは所定の溝からなるトラックを有する情報記憶媒体に該光源から出射されたビームを集光する集光光学系と、
該情報記憶媒体で反射した反射光を受け取り、回折光を生成する回折手段と、
該回折手段により回折された光を受光し、受光された光量に応じた信号を出力する複数の検出領域からなる光検出器とを備え、
該回折手段は、複数に分割された領域を有し、
該複数の領域の一部の領域群Ａから発生する所望の次数の回折光が第１の球面波となり、
該複数の領域の領域群Ａに含まれない領域からなる領域群Ｂから発生する所望の次数の回折光は、該第１の球面波の集光点より該回折手段から遠い位置に集光点持つ第２の球面波となり、
該第１の球面波と該第２の球面波との該光検出器上での断面の大きさの差からフォーカス誤差信号を生成するフォーカス誤差信号生成手段をさらに備え、
該回折手段は、該トラックの接線と垂直な少なくとも１本の分割線を持ち、
該分割線を挟んで互いに接する２つの領域の一方が該領域群Ａに属し、他方が該領域群Ｂに属する光ヘッド装置。
【請求項４１】
コヒーレントビームもしくは準単色のビームを発する光源と、
選択的にマークまたはスペースを配置したトラックもしくは所定の溝からなるトラックを有する情報記憶媒体に該光源から出射されたビームを集光する集光光学系と、
該情報記憶媒体で反射した反射光を回折し回折光を生成する回折手段と、
該回折手段により回折された光を受光し、受光した光量に応じた信号を出力する複数の検出領域からなる光検出器を備え、
該回折手段は、複数に分割された領域を有し、
該複数の領域の一部の領域群Ａから発生する所望の次数の回折光が、第１の球面波となり、
該複数の領域の領域群Ａに含まれない領域からなる領域群Ｂから発生する所望の次数の回折光が、該第１の球面波の集光点より該回折手段から遠い位置に集光点持つ第２の球面波となり、
該第１の球面波と該第２の球面波との該光検出器上での断面の大きさの差からフォーカス誤差信号を生成するフォーカス誤差信号生成をさらに備え、
該回折手段は、該集光光学系の開口に相当する範囲よりも広い範囲に回折領域を有し、
該開口の外周に接し、該トラックの接線と平行な、第１の分割線および第２の分割線を開口の両側に持ち、
該第１の分割線または第２の分割線を挟んで互いに接する２つの領域の一方が該領域群Ａに属し、
該２つの領域の他方が該領域群Ｂに属する光ヘッド装置。
【請求項４２】
前記回折手段が、前記集光光学系と一体化されている請求項３８、４０または４１のいずれか１つに記載の光ヘッド装置。
【請求項４３】
コヒーレントビームもしくは準単色のビームを出射する出射工程と、
少なくとも１つのマークと少なくとも１つのスペースとを配置したトラックを有する情報記憶媒体に該出射工程によって出射されたビームを集光する集光工程と、
該情報記憶媒体で反射した反射光を複数の検出領域で受光し、受光された反射光の光量に応じた信号を出力する光検出工程と、
該光検出工程によって出力される信号を受け取り、該受け取った信号に基づいて、トラッキング誤差信号を生成するトラッキング誤差信号生成工程とを包含し、
該トラッキング誤差信号生成工程が、該トラッキング誤差信号から重複領域から得られる信号の成分を低減する工程を含み、
該重複領域は、集光光学系の開口を半径１の円としたとき、該集光光学系の開口の中心から該トラックと直交する方向にλ／（ＮＡ・Ｇｐ）だけ離れた二つの点をそれぞれ中心とする半径１の二つの円の重なる領域であり、
該λは、該出射工程によって出射される光の波長であり、
該ＮＡは、該集光光学系の開口数であり、
該Ｇｐは、該情報記憶媒体におけるトラックの中心から隣のトラックの中心までの距離であり、
該集光光学系の開口を半径１の円としたとき、λ／（ＮＡ・Ｇｐ）は、λ／（ＮＡ・Ｇｐ）＜１の関係を有する方法。
【請求項４４】
コヒーレントビームもしくは準単色のビームを出射する出射工程と、
レーザ光発生工程で出射されたビームを受け取り、受け取ったビームを第１のビームと第２のビームに分割する分割工程と、
該第１のビームと該第２のビームを受け取り、該第１のビームと該第２のビームを情報記憶媒体上へ微小スポットに集光する集光工程と、
該情報記憶媒体で反射、回折したビームを受け取り、受け取ったビームを分岐する分岐工程と、
該分岐工程によって分岐されたビームを受け取り、受け取ったビームの光量に応じた信号を出力する光検出工程と、
該光検出工程で出力される信号を受け取り、受け取った信号を演算する信号処理工程と、
該信号処理工程によって演算された信号に基づいて集光光学系と該情報記憶媒体との相対的な位置を決める位置決め工程とを包含し、
該第１のビームは第２のビームと、該集光光学系で集光される際の実効的な開口数が異なり、
該集光光学系で集光される際の実効的な開口数が小さいビームを用いてトラッキング誤差信号を生成するトラッキング誤差信号生成工程をさらに包含する方法。
【請求項４５】
コヒーレントビームもしくは準単色のビームを出射する出射工程と、
該出射工程で出射されたビームを受け取り、受け取ったビームを情報記憶媒体上へ微小スポットに収束する収束工程と、
該情報記憶媒体で反射、回折したビームを受け取り、受け取ったビームを分岐する分岐工程と、
該分岐工程によって分岐されたビームを複数の受光部で受け取り、受け取ったビームの光量に応じた信号を出力する光検出工程と、
該光検出工程で出力する信号を受け取り、受け取った信号を演算する信号処理工程と、
集光光学系と該情報記憶媒体との相対的な位置決めを行うためのフォーカスおよびトラッキングの制御を行う第１の駆動工程と、
該集光光学系で集光されるビームと該情報記憶媒体とがなす角度を変えることが可能な第２の駆動工程とを包含し、
該情報記憶媒体は、トラッキング誤差信号を生成可能なパターンもしくは所定の溝を有し、
該トラッキング誤差信号を生成可能にするパターンもしくは所定の溝の周期をＧｐとし、該出射工程によって出射されるビームの波長をλとし、該集光光学系の該情報記憶媒体側の開口数をＮＡとしたとき、ＮＡ＞λ／Ｇｐの関係にある方法。
【請求項４６】
コヒーレントビームもしくは準単色のビームを出射する出射工程と、
選択的にマークまたはスペースを配置したトラックを有する情報記憶媒体に該光源から出射されたビームを集光する集光工程と、
該情報記憶媒体で反射した反射光を複数の検出領域で受け取り、受け取った反射光の光量に応じた信号を出力する光検出工程と、
該情報記憶媒体で反射した光を分割する分割工程と、
該分割工程によって分割された所定の第１の領域と第２の領域の二つの領域のそれぞれに入射する該反射光に応じて得られる信号の差動信号から該トラックに記録された情報を再生する再生信号を生成する情報再生信号生成工程とを包含し、
該集光工程によって集光された集光点と該トラックとの位置関係に応じて該第１の領域または該第２の領域もしくは両方の領域に含まれる範囲を変える変更工程をさらに包含する方法。
【請求項４７】
コヒーレントビームもしくは準単色のビームを出射する出射工程と、
選択的にマークまたはスペースを配置したトラックもしくは所定の溝からなるトラックを有する情報記憶媒体に該光源から出射されたビームを集光する集光工程と、
該情報記憶媒体で反射した反射光を検出領域で受光し、受光した反射光の光量に応じた信号を出力する光検出工程と、
該光検出工程によって出力される信号を受け取り、受け取った信号に基づいてトラッキング誤差信号を生成するトラッキング誤差信号生成工程と、
該情報記憶媒体で反射した反射光を分割する分割工程とを包含し、
該出射工程によって出射される光の波長をλとし、
該集光光学系の開口数をＮＡとし、
該情報記憶媒体におけるトラックの中心から隣のトラックの中心までの距離をＧｐとし、
λ／（ＮＡ・Ｇｐ）≧１の関係を有し、
第１の分割線から第５の分割線により分割される６つの領域に入射する該反射光に応じて得られる信号を交互に極性を反転し、交互に極性を反転された信号を加算することによりトラッキング誤差信号を生成するトラッキング誤差信号生成工程をさらに包含し、
該第１の分割線から該第５の分割線は、該トラックの接線と略平行であり、
該第１の分割線は、該反射光の断面の中心を通り該トラックと平行であり、
該第２の分割線および該第３の分割線は、該反射光の断面を半径１の円としたとき、該第１の分割線を挟んで距離約０．１に位置し、
該第４の分割線および該第５の分割線は、該反射光の断面を半径１の円としたとき、該反射光の断面の端から距離約０．１に位置する方法。
【請求項４８】
コヒーレントビームもしくは準単色のビームを出射する出射工程と、
選択的にマークまたはスペースを配置したトラックもしくは所定の溝からなるトラックを有する情報記憶媒体に該光源から出射されたビームを集光する集光工程と、
該情報記憶媒体で反射した反射光を複数に分割された領域で受け取り、回折光を生成する回折工程と、
該回折手段により回折された光を受光し、受光された光量に応じた信号を出力する複数の検出領域からなる光検出工程と、
第１の球面波と第２の球面波との断面の大きさの差からフォーカス誤差信号を生成するフォーカス誤差信号生成工程を包含し、
該第１の球面波は、該複数の領域の一部の領域群Ａから発生する所望の次数の回折光であり、
該第２の球面波は、該複数の領域の領域群Ａに含まれない領域からなる領域群Ｂから発生する所望の次数の回折光であり、
該領域群Ａは、該トラックの接線と垂直な少なくとも１本の分割線を挟んで互いに接する２つの領域の一方であり、該領域群Ｂは、該２つの領域の他方である方法。
【請求項４９】
コヒーレントビームもしくは準単色のビームを発するレーザ光源と、
該光源から出射されたビームを受け取り、受け取ったビームを情報記憶媒体上へ微小スポットに収束する集光光学系と、
該情報記憶媒体で反射、回折したビームを受け取り、受け取ったビームを分岐するビーム分岐素子と、
該ビーム分岐素子で分岐されたビームを受け取り、受け取ったビームの光量に応じた信号を出力する光検出器と、
該光検出器から出力される信号を受け取り、受け取った信号を演算する信号処理部と、
該集光光学系と該情報記憶媒体との相対的な位置決めを行うためにフォーカスおよびトラッキングの制御を行う第１の駆動部と、
該集光光学系で集光されるビームの収差を補正する収差補正手段とを備え、
該光検出器は複数の受光部を有し、
該情報記憶媒体はマークおよびスペースからなる第１のパターン領域と所定の溝からなる第２のパターン領域とを有し、
該第１のパターン領域ではマークおよびスペースを選択的に溝中心からトラック垂直方向に所定の距離離れた位置に配置され、
該第１のパターン領域と該第２のパターン領域は情報記憶媒体上に交互に配置され、
該集光光学系で集光されたビームが該第１のパターン領域に照射されたとき該光検出器から得られる信号を第１の信号とし、該第２のパターン領域に照射されたとき該光検出器から得られる信号を第２の信号とし、
該信号処理部は、第１の信号に基づく信号を処理する第１の信号処理部と第２の信号に基づく信号を処理する第２の信号処理部を持ち、
第１の信号処理部から出力される第１の処理信号または第２の信号処理部から出力される第２の処理信号のいずれかをトラッキング誤差信号として出力し、他方の処理信号を該集光光学系で集光されるビームと該情報記憶媒体とがなす角度をあらわす信号として出力し、該収差補正手段により該情報記憶媒体上の微小スポットの収差を補正する光情報処理装置。
【請求項５０】
該収差補正手段は、該集光光学系で集光されるビームと該情報記憶媒体とがなす角度を変えることが可能な駆動部とを備えることを特徴とする、請求項２５または４９記載の光情報処理装置。
【請求項５１】
コヒーレントビームもしくは準単色のビームを出射する出射工程と、
該出射工程で出射されたビームを受け取り、受け取ったビームを情報記憶媒体上へ微小スポットに収束する収束工程と、
該情報記憶媒体で反射、回折したビームを受け取り、受け取ったビームを分岐する分岐工程と、
該分岐工程によって分岐されたビームを複数の受光部で受け取り、受け取ったビームの光量に応じた信号を出力する光検出工程と、
該光検出工程で出力する信号を受け取り、受け取った信号を演算する信号処理工程と、
集光光学系と該情報記憶媒体との相対的な位置決めを行うためのフォーカスおよびトラッキングの制御を行う第１の駆動工程と、
該集光光学系で集光されるビームの収差を補正する収差補正工程とを包含し、
該情報記憶媒体はマークおよびスペースからなる第１のパターン領域と所定の溝からなる第２のパターン領域とを有し、
該第１のパターン領域と該第２のパターン領域は情報記憶媒体上に交互に配置され、
該信号処理工程は、該集光光学系で集光されたビームが該第１のパターン領域もしくは該第２のパターン領域に照射されるとき、該光検出工程から得られる信号を用いて、該集光光学系で集光されるビームと該情報記憶媒体とがなす角度を検出し、該収差補正工程により該情報記憶媒体上の微小スポットの収差を補正する光情報処理方法。
【請求項５２】
コヒーレントビームもしくは準単色のビームを出射する出射工程と、
該出射工程で出射されたビームを受け取り、受け取ったビームを情報記憶媒体上へ微小スポットに収束する収束工程と、
該情報記憶媒体で反射、回折したビームを受け取り、受け取ったビームを分岐する分岐工程と、
該分岐工程によって分岐されたビームを複数の受光部で受け取り、受け取ったビームの光量に応じた信号を出力する光検出工程と、
該光検出工程で出力する信号を受け取り、受け取った信号を演算する信号処理工程と、
集光光学系と該情報記憶媒体との相対的な位置決めを行うためのフォーカスおよびトラッキングの制御を行う第１の駆動工程と、
該集光光学系で集光されるビームの収差を補正する収差補正工程とを包含し、
該光検出工程は複数の受光部を有し、
該情報記憶媒体はマークおよびスペースからなる第１のパターン領域と所定の溝からなる第２のパターン領域とを有し、
該第１のパターン領域ではマークおよびスペースを選択的に溝中心からトラック垂直方向に所定の距離離れた位置に配置され、
該第１のパターン領域と該第２のパターン領域は情報記憶媒体上に交互に配置され、
該集光光学系で集光されたビームが該第１のパターン領域に照射されたとき該光検出工程から得られる信号を第１の信号とし、該第２のパターン領域に照射されたとき該光検出工程から得られる信号を第２の信号とし、
該信号処理工程は、第１の信号に基づく信号を処理する第１の信号処理工程と第２の信号に基づく信号を処理する第２の信号処理工程を持ち、
第１の信号処理工程から出力される第１の処理信号または第２の信号処理工程から出力される第２の処理信号のいずれかをトラッキング誤差信号として出力し、他方の処理信号を該集光光学工程で集光されるビームと該情報記憶媒体とがなす角度をあらわす信号として出力し、該収差補正工程により該情報記憶媒体上の微小スポットの収差を補正する光情報処理方法。